(57)【要約】【課題】適正な泡質の泡体を長期にわたって吐出する。【解決手段】フォーマポンプ１０は、容器体の口部に、上方付勢状態で下方移動可能に立設されるステム１５と、ステム１５の上端部に配設されノズル孔４３が形成された押下ヘッド１８と、ステム１５に連係する液用ピストンと、内部に液用ピストンが上下摺動自在に収容された液用シリンダと、ステム１５に連係する空気用ピストンと、内部に空気用ピストンが上下摺動自在に収容された空気用シリンダと、液用シリンダからの液体と空気用シリンダからの空気とを混合する気液混合室１７と、気液混合室１７とノズル孔４３との間に配設され、気液混合室１７からの気液混合体を発泡する発泡部材１９と、を備え、押下ヘッド１８は、ステム１５の上端部に着脱自在に配設され、押下ヘッド１８には、ステム１５内とノズル孔４３とを連通する連通路４４が形成され、発泡部材１９は、連通路４４内に配設されている。【選択図】図３
2015009840.tif 000002
【特許請求の範囲】
【請求項１】
液体が収容された容器体の口部に、上方付勢状態で下方移動可能に立設されるステムと、
前記ステムの上端部に配設されノズル孔が形成された押下ヘッドと、
前記ステムに連係する液用ピストンと、
内部に前記液用ピストンが上下摺動自在に収容された液用シリンダと、
前記ステムに連係する空気用ピストンと、
内部に前記空気用ピストンが上下摺動自在に収容された空気用シリンダと、
前記液用シリンダからの液体と前記空気用シリンダからの空気とを混合する気液混合室と、
前記気液混合室と前記ノズル孔との間に配設され、前記気液混合室からの気液混合体を発泡する発泡部材と、を備えるフォーマポンプであって、
前記押下ヘッドは、前記ステムの上端部に着脱自在に配設され、
前記押下ヘッドには、前記ステム内と前記ノズル孔とを連通する連通路が形成され、
前記発泡部材は、前記連通路内に配設されていることを特徴とするフォーマポンプ。
【請求項２】
請求項１記載のフォーマポンプであって、
前記押下ヘッドには、前記ステムの上端部に着脱自在に装着され、内部が前記連通路の一部を構成する装着筒部が備えられ、
前記発泡部材は、前記装着筒部の下端部に配設されていることを特徴とするフォーマポンプ。
【請求項３】
請求項１または２に記載のフォーマポンプであって、
前記発泡部材は、前記連通路内に着脱自在に配設されていることを特徴とするフォーマポンプ。
【発明の詳細な説明】
【技術分野】
【０００１】
本発明は、フォーマポンプに関する。
【背景技術】
【０００２】
従来から、例えば下記特許文献１に示すようなフォーマポンプが知られている。フォーマポンプは、液体が収容された容器体の口部に、上方付勢状態で下方移動可能に立設されるステムと、ステムの上端部に配設されノズル孔が形成された押下ヘッドと、ステムに連係する液用ピストンと、内部に液用ピストンが上下摺動自在に収容された液用シリンダと、ステムに連係する空気用ピストンと、内部に空気用ピストンが上下摺動自在に収容された空気用シリンダと、液用シリンダからの液体と空気用シリンダからの空気とを混合する気液混合室と、気液混合室とノズル孔との間に配設され、気液混合室からの気液混合体を発泡する発泡部材と、を備えている。
フォーマポンプは、押下ヘッドを押し下げてステムを下方に移動させることにより、容器体内の内容物を移送するとともに空気と混合させ、これらの気液混合体が発泡されてなる泡状の内容物（以下、泡体という）を吐出する。
【先行技術文献】
【特許文献】
【０００３】
【特許文献１】特開２００５−１３９４５号公報
【発明の概要】
【発明が解決しようとする課題】
【０００４】
しかしながら、前記従来のフォーマポンプでは、繰り返し使用する過程で、例えば発泡部材上で液体が固化すること等を起因として、泡体を適正な泡質に発泡し難くなる可能性がある。この可能性は、フォーマポンプを長期にわたって使用するほど高まる。
【０００５】
本発明は、前述した事情に鑑みてなされたものであって、適正な泡質の泡体を長期にわたって吐出することができるフォーマポンプを提供することを目的とする。
【課題を解決するための手段】
【０００６】
前記課題を解決するために、本発明は以下の手段を提案している。
本発明に係るフォーマポンプは、液体が収容された容器体の口部に、上方付勢状態で下方移動可能に立設されるステムと、前記ステムの上端部に配設されノズル孔が形成された押下ヘッドと、前記ステムに連係する液用ピストンと、内部に前記液用ピストンが上下摺動自在に収容された液用シリンダと、前記ステムに連係する空気用ピストンと、内部に前記空気用ピストンが上下摺動自在に収容された空気用シリンダと、前記液用シリンダからの液体と前記空気用シリンダからの空気とを混合する気液混合室と、前記気液混合室と前記ノズル孔との間に配設され、前記気液混合室からの気液混合体を発泡する発泡部材と、を備えるフォーマポンプであって、前記押下ヘッドは、前記ステムの上端部に着脱自在に配設され、前記押下ヘッドには、前記ステム内と前記ノズル孔とを連通する連通路が形成され、前記発泡部材は、前記連通路内に配設されていることを特徴とする。
【０００７】
この発明によれば、押下ヘッドが、ステムの上端部に着脱自在に配設されているので、押下ヘッドをステムの上端部から取り外して発泡部材を容易に洗浄することができる。これにより、例えば発泡部材上で固化した液体を除去すること等が可能になり、適正な泡質の泡体を長期にわたって吐出することができる。
【０００８】
また、前記押下ヘッドには、前記ステムの上端部に着脱自在に装着され、内部が前記連通路の一部を構成する装着筒部が備えられ、前記発泡部材は、前記装着筒部の下端部に配設されていてもよい。
【０００９】
この場合、発泡部材が、装着筒部の下端部に配設されているので、装着筒部をステムの上端部から取り外したときに、発泡部材を押下ヘッドから外部に露出させることが可能になり、発泡部材を一層容易に洗浄することができる。
【００１０】
また、前記発泡部材は、前記連通路内に着脱自在に配設されていてもよい。
【００１１】
この場合、発泡部材が、連通路内に着脱自在に配設されているので、発泡部材を、押下ヘッドから離脱させた状態で洗浄することが可能になり、発泡部材を確実に洗浄することができる。
【発明の効果】
【００１２】
本発明に係るフォーマポンプによれば、適正な泡質の泡体を長期にわたって吐出することができる。
【図面の簡単な説明】
【００１３】
【図１】本発明の一実施形態に係るフォーマポンプを備える吐出容器を示す縦断面図である。
【図２】図１に示すフォーマポンプの要部を示す拡大縦断面図である。
【図３】図１に示すフォーマポンプの要部を分解した拡大縦断面図である。
【発明を実施するための形態】
【００１４】
以下、図面を参照し、本発明の一実施形態に係るフォーマポンプを備える吐出容器を説明する。
図１および図２に示すように、吐出容器１は、容器体２と、フォーマポンプ１０と、を備えている。容器体２には、液状の内容物（液体）が収容される。フォーマポンプ１０は、容器体２内の内容物を泡状にして吐出する。
【００１５】
フォーマポンプ１０は、装着キャップ１１と、空気用シリンダ１２と、液用シリンダ１３と、液用ピストン１４と、ステム１５と、空気用ピストン１６と、気液混合室１７と、押下ヘッド１８と、発泡部材１９と、を備えている。
【００１６】
ここで空気用シリンダ１２、液用シリンダ１３、液用ピストン１４および空気用ピストン１６は筒状に形成されている。これらの空気用シリンダ１２、液用シリンダ１３、液用ピストン１４および空気用ピストン１６、並びに前述の装着キャップ１１およびステム１５の各中心軸線は、共通軸上に位置し、容器体２の軸線と同軸に配置されている。
以下、この共通軸を軸線Ｏといい、軸線Ｏに沿う方向を上下方向といい、上下方向に沿った容器体２の底部側を下側といい、下側の反対側を上側といい、軸線Ｏに直交する方向を径方向といい、軸線Ｏ回りに周回する方向を周方向という。
【００１７】
装着キャップ１１は、容器体２の口部２ａに装着される。装着キャップ１１は、容器体２の口部２ａに螺着される下筒部２１と、下筒部２１よりも小径の上筒部２２と、これらの下筒部２１および上筒部２２を連結する連結段部２３と、を備えている。
【００１８】
上筒部２２の上端部には、径方向の外側に向けて突出する環状の突状部２２ａが形成されている。上筒部２２において突状部２２ａよりも下側に位置する部分には、押下ヘッド１８の下方への移動を規制する規制部材２４が装着されている。規制部材２４は、このフォーマポンプ１０を上方から見た上面視においてＣ字状をなし、上筒部２２に離脱可能に外嵌されている。
【００１９】
空気用シリンダ１２は、装着キャップ１１の前記連結段部２３と容器体２の口部２ａとの間に上下方向に挟持された環状の取付け部２５と、取付け部２５から下方に向けて延設された周壁部２６と、周壁部２６から径方向の内側に向けて突設された環状の底壁部２７と、を備えている。
【００２０】
液用シリンダ１３は、空気用シリンダ１２と一体に形成されている。液用シリンダ１３は、空気用シリンダ１２の底壁部２７の内周縁から下方に向けて延設された基筒部２８と、基筒部２８の下端から下方に向けて連設され、下方に向かうに従い漸次縮径するテーパ部２９と、テーパ部２９の下端から下方に向けて連設された垂下筒部３０と、を備えている。液用シリンダ１３において基筒部２８とテーパ部２９とが連結された部分の内周面には、上下方向に延在する縦リブが、周方向に間隔をあけて複数突設されている。
【００２１】
液用シリンダ１３の内部には、前記液用ピストン１４が上下摺動自在に収容されている。液用ピストン１４は、ステム１５に連係する。液用ピストン１４は、液用シリンダ１３内に液密状態で上下摺動可能に嵌合する大径部３１と、下端が大径部３１に連結された小径部３２と、を備えている。液用ピストン１４は、この液用ピストン１４において大径部３１と小径部３２とが連結された部分と、液用シリンダ１３の前記縦リブと、の間に介装された付勢部材３３により、上方に付勢されている。なお付勢部材３３としては、例えばコイルスプリングや樹脂バネ等を採用することができる。
【００２２】
液用シリンダ１３、液用ピストン１４および付勢部材３３内には、棒状の弁部材３４が挿通されている。弁部材３４の上端部には、中空の逆円錐状の上部弁体３４ａが形成され、弁部材３４の下端部には、下部弁体３４ｂが形成されている。上部弁体３４ａは、液用ピストン１４の上端部に形成された弁座部に、この弁座部の上方から離間可能に着座する。下部弁体３４ｂは、液用シリンダ１３のテーパ部２９から上方に離間していて、テーパ部２９に着座可能に形成されている。下部弁体３４ｂの外周面には、液用シリンダ１３の前記縦リブの間に配置されるガイド凸部が突設されている。
【００２３】
ステム１５は、容器体２の口部２ａに、上方付勢状態で下方移動可能に立設される。ステム１５は、下ステム３５と、上ステム３６と、を備えている。下ステム３５および上ステム３６はいずれも筒状に形成されている。
【００２４】
下ステム３５は、空気用シリンダ１２内に挿通されている。下ステム３５の下端部は、液用ピストン１４の小径部３２に外嵌されている。下ステム３５には、径方向の外側に向けて突出する環状のフランジ部３５ａと、径方向の内側に向けて突出する環状の台座部３５ｂと、が、下方からこの順に上下方向に間隔をあけて配置されている。下ステム３５のうち、台座部３５ｂよりも上側に位置する上端部は、装着キャップ１１の上筒部２２内に配置されている。
【００２５】
上ステム３６は、装着キャップ１１の上筒部２２内に挿通され、下ステム３５の上端部に外嵌されている。上ステム３６の下端部は、この上ステム３６において下端部よりも上側に位置し、かつ下ステム３５の上端部に外嵌された外嵌部分よりも内径が大きくなっている。上ステム３６内には、嵌合筒部３６ａが設けられている。嵌合筒部３６ａは、下ステム３５の上端部内に嵌合されている。嵌合筒部３６ａの上端部は、上ステム３６において前記外嵌部分よりも上側に位置する部分に連結されている。
【００２６】
上ステム３６の外周面と装着キャップ１１の上筒部２２の内周面との間には、第１回転規制部５５が設けられている。第１回転規制部５５は、押下ヘッド１８と装着キャップ１１との相対的な周方向の回転を規制する。第１回転規制部５５は、上ステム３６の外周面に形成された内規制リブ５５ａ（係止部）と、上筒部２２の内周面に形成された外規制リブ５５ｂ（係止部）と、を備えている。内規制リブ５５ａと外規制リブ５５ｂとは周方向に交互に配設されている。第１回転規制部５５は、内規制リブ５５ａと外規制リブ５５ｂとが係止し合うことで、押下ヘッド１８と装着キャップ１１との相対的な回転を規制する。
【００２７】
空気用ピストン１６は、空気用シリンダ１２の内部に上下摺動自在に収容されている。空気用ピストン１６は、ステム１５に連係する。空気用ピストン１６は、下ステム３５に外装された内筒部３７と、空気用シリンダ１２内に嵌合された外筒部３８と、これらの内筒部３７と外筒部３８とを連結する連結部３９と、を備えている。
【００２８】
内筒部３７は、下ステム３５において前記フランジ部３５ａよりも上側に位置し、かつ前記台座部３５ｂよりも下側に位置する摺動部分に、上下摺動可能に外嵌されている。内筒部３７において連結部３９に連結された連結部分よりも上側に位置する上端部には、上ステム３６の下端部が、上下摺動可能に外嵌している。内筒部３７の下端縁は、フランジ部３５ａに離間可能に着座している。
【００２９】
連結部３９は、内筒部３７および外筒部３８それぞれにおける上下方向の中央部同士を全周にわたって連結する環状に形成されている。連結部３９には、空気用シリンダ１２の内部のうち、この連結部３９よりも上方に画成される上室４０ａ内と、この連結部３９よりも下方に画成される下室４０ｂ内と、を連通する貫通孔が形成されている。
【００３０】
内筒部３７において連結部３９に連結された部分よりも下側に位置する部分には、弁筒部４１が嵌合されている。弁筒部４１の外周面には、前記貫通孔を開閉する弾性変形可能な環状の外気導入弁４１ａが突設されている。外気導入弁４１ａの外周縁部は連結部３９の下面に離間可能に密接している。
【００３１】
気液混合室１７は、液用シリンダ１３からの内容物と空気用シリンダ１２からの空気とを混合する。気液混合室１７は、下ステム３５内に配設されていて、図示の例では、下ステム３５の前記上端部内とされている。気液混合室１７内には、台座部３５ｂに着座する球状の液吐出弁１７ａが設けられている。液吐出弁１７ａは、台座部３５ｂに離間可能に形成されている。
【００３２】
気液混合室１７は、前記下室４０ｂに、空気導入路４２を通して連通可能となっている。空気導入路４２は、嵌合筒部３６ａの外周面に形成された第１連通溝と、上ステム３６の前記外嵌部分の内周面に形成された第２連通溝と、下ステム３５の前記摺動部分の外周面に形成された第３連通溝と、を備えている。
【００３３】
押下ヘッド１８は、ステム１５の上端部に着脱自在に配設されている。押下ヘッド１８には、内容物を吐出するノズル孔４３と、ノズル孔４３とステム１５内とを連通する連通路４４と、が形成されている。押下ヘッド１８は、有頂筒状のヘッド本体４５と、ヘッド本体４５をステム１５の上端部に装着させる装着筒部４６と、を備えている。
【００３４】
装着筒部４６は、ステム１５の上端部に着脱自在に装着されている。装着筒部４６は、２段筒状に形成されている。装着筒部４６は、下側の縮径部４７と、上側の拡径部４８と、を備えている。縮径部４７は、上ステム３６において嵌合筒部３６ａが連結された部分よりも上側に位置する部分に内装されている。縮径部４７の内周面には、突起部４８ａが設けられている。突起部４８ａは、周方向に間隔をあけて複数設けられている。
【００３５】
縮径部４７において拡径部４８に連結される部分には、雄ねじ部４７ａが形成されている。雄ねじ部４７ａは、上ステム３６の内周面に形成された雌ねじ部３６ｂに組み合わされていて、装着筒部４６は、ステム１５に螺着されている。なお、装着筒部４６がステム１５に対して締め込まれる方向と、装着キャップ１１が容器体２の口部２ａに対して締め込まれる方向と、は、互いに周方向に沿った反対側を向いていてもよい。
【００３６】
ヘッド本体４５は、軸線Ｏと同軸に配置されている。ヘッド本体４５には、天壁部から下方に向けて突出する流路筒部４９と、流路筒部４９から径方向の外側に向けて突出する吐出筒部５０と、が設けられている。
【００３７】
流路筒部４９は、装着筒部４６の拡径部４８内に嵌合されている。流路筒部４９の外周面と装着筒部４６の内周面との間には、第２回転規制部５１が設けられている。第２回転規制部５１は、ヘッド本体４５と装着筒部４６との相対的な周方向の回転を規制する。第２回転規制部５１は、流路筒部４９の外周面に形成された凹溝部５１ａ（係止部）と、拡径部４８の内周面に形成された凸リブ部５１ｂ（係止部）と、を備えている。凹溝部５１ａは下方に向けて開口し、凸リブ部５１ｂは凹溝部５１ａ内に嵌合している。第２回転規制部５１は、凹溝部５１ａと凸リブ部５１ｂとが互いに係止し合うことで、ヘッド本体４５と装着筒部４６との相対的な回転を規制する。
【００３８】
吐出筒部５０は、ヘッド本体４５の周壁部から径方向の外側に向けて突出している。吐出筒部５０の径方向の外側の端部は、前記ノズル孔４３とされている。吐出筒部５０内は、流路筒部４９内に連通していて、吐出筒部５０内、流路筒部４９内および装着筒部４６の縮径部４７内が、前記連通路４４を構成している。
【００３９】
ヘッド本体４５内には、リング状部５２が嵌合されている。リング状部５２は、押下ヘッド１８内への内容物などの内容物の浸入を規制する。リング状部５２は、ヘッド本体４５の周壁部の下端部内に嵌合されていて、装着キャップ１１の前記突状部２２ａに、径方向の外側から近接または当接している。
【００４０】
発泡部材１９は、気液混合室１７とノズル孔４３との間に配設され、気液混合室１７からの気液混合体を発泡する。発泡部材１９は、連通路４４内に着脱自在に配設されている。発泡部材１９は、装着筒部４６の下端部に配設されている。発泡部材１９は、ケーシング５３と、発泡エレメント５４と、を備えている。
【００４１】
ケーシング５３は、上下方向の両側に向けて開口する筒状に形成されている。ケーシング５３は、装着筒部４６の下端部内に着脱可能に嵌合されている。ケーシング５３の上端部は、装着筒部４６の前記突起部４８ａに、この突起部４８ａの下方から当接している。ケーシング５３の下端部は、装着筒部４６から下方に向けて突出している。この下端部には、径方向の外側に向けて突出する突出部５３ａが設けられている。ケーシング５３の下端部および突出部５３ａは、嵌合筒部３６ａの上端部に、この上端部の上方から当接している。突出部５３ａは、環状に形成され、突出部５３ａの上面と装着筒部４６の下端部との間には、上下方向の隙間が設けられている。
【００４２】
発泡エレメント５４は、２つ設けられていて、これらの両発泡エレメント５４は、ケーシング５３内に装着されている。両発泡エレメント５４のうち、下側の発泡エレメント５４は、筒体の下側開口面にメッシュ体が張設されてなり、上側の発泡エレメント５４は、筒体の上側開口面にメッシュ体が張設されてなる。
【００４３】
以上のように構成されたフォーマポンプ１０は、押下ヘッド１８を押し下げてステム１５を下方に移動させることにより、容器体２内の内容物を移送するとともに空気と混合させ、これらの気液混合体が発泡されてなる泡状の内容物（以下、泡体という）をノズル孔４３から吐出する。
【００４４】
この吐出容器１の使用時には、装着キャップ１１から規制部材２４を離脱させた後、押下ヘッド１８を下方へ押し下げて、ステム１５および液用ピストン１４を一体的に押し下げる。
【００４５】
このとき、空気用ピストン１６の内筒部３７が下ステム３５の前記摺動部分の外周面上を摺動するとともに、内筒部３７の上端部が上ステム３６の内周面上を摺動することにより、空気用ピストン１６の上下方向の位置が保持される。その結果、下ステム３５のフランジ部３５ａと、空気用ピストン１６の内筒部３７の下端縁と、の間に、前記空気導入路４２と前記下室４０ｂとを連通する図示しない連通隙間が設けられ、下室４０ｂと気液混合室１７とが連通される。またこのとき、弁部材３４も下方に移動させられ、弁部材３４の下部弁体３４ｂが液用シリンダ１３のテーパ部２９に着座して、液用シリンダ１３の下端開口部が閉塞される。
【００４６】
上ステム３６の下端縁が、空気用ピストン１６の連結部３９に当接するまで押下ヘッド１８を押し下げると、押下ヘッド１８とともに空気用ピストン１６が下方に移動し、空気用ピストン１６の外筒部３８が、空気用シリンダ１２の周壁部２６の内周面上を、下方に向けて摺動する。
【００４７】
このとき、空気用ピストン１６の弁筒部４１の外気導入弁４１ａは、連結部３９の下面に密接されたままの状態であり、前記貫通孔は閉塞されている。これにより、下室４０ｂ内の空気が圧縮され、この空気が、前記連通隙間および空気導入路４２を通して気液混合室１７に移送される。またこのとき、液用シリンダ１３の下端開口部が閉塞された状態で、付勢部材３３を圧縮変形させつつ、液用ピストン１４を下方に移動させて、弁部材３４の上部弁体３４ａを液用ピストン１４の前記弁座部から離間させる。これにより、液用シリンダ１３の内部と下ステム３５の内部とが連通され、液用シリンダ１３内の内容物が、前記弁座部の内側および上部弁体３４ａの外側を通過して下ステム３５内の気液混合室１７に移送される。
【００４８】
以上のように、押下ヘッド１８を押し下げることにより、気液混合室１７に空気および内容物がそれぞれ移送され、これらは気液混合室１７で合流して混合される。この気液混合体は、発泡部材１９に移送され、下側の発泡エレメント５４のメッシュ体および上側の発泡エレメント５４のメッシュ体を順次通過することで発泡させられて泡体になり、連通路４４を流通してノズル孔４３から吐出される。
【００４９】
その後、押下ヘッド１８の押し下げを解除すると、付勢部材３３の弾性復元力により液用ピストン１４が上方に押し上げられる。これにより、液用ピストン１４の前記弁座部が弁部材３４の上部弁体３４ａに当接して閉じられ、気液混合室１７への内容物の移送が停止される。
【００５０】
また、このように上昇する液用ピストン１４とともに、ステム１５および押下ヘッド１８が一体的に上昇し、下ステム３５のフランジ部３５ａが空気用ピストン１６の内筒部３７の下端縁に当接することで、空気導入路４２を通した下室４０ｂと気液混合室１７との連通が遮断され、気液混合室１７への空気の移送が停止される。その後、付勢部材３３の弾性復元力により、空気用ピストン１６が押し上げられることで、前記下室４０ｂ内が負圧状態となり、空気用ピストン１６の弁筒部４１の外気導入弁４１ａが下方に弾性変形させられて、前記貫通孔が開放される。これにより、前記貫通孔および前記上室４０ａを通して下室４０ｂ内に外気が供給される。
【００５１】
ところで、この吐出容器１は、長期にわたって繰り返し使用する過程で、例えば発泡部材１９上で内容物が固化すること等を起因として、泡体を適正な泡質に発泡し難くなったり、泡体の発泡そのものができなくなったりする可能性がある。この場合、図３に示すように、押下ヘッド１８をステム１５に対して周方向に相対的に回転させ、装着筒部４６のステム１５に対する締め込みを緩めて押下ヘッド１８をステム１５の上端部から離脱させる。その後、押下ヘッド１８から発泡部材１９を下方に向けて引き抜いて離脱させ、発泡部材１９を洗浄する。なおこのとき、発泡部材１９と並行して、押下ヘッド１８の連通路４４およびノズル孔４３を洗浄してもよい。また、押下ヘッド１８から発泡部材１９を離脱させず、発泡部材１９が連通路４４内に配設された状態で、発泡部材１９および連通路４４を一体に洗浄してもよい。
【００５２】
以上説明したように、本実施形態に係るフォーマポンプ１０によれば、押下ヘッド１８が、ステム１５の上端部に着脱自在に配設されているので、押下ヘッド１８をステム１５の上端部から取り外して発泡部材１９を容易に洗浄することができる。これにより、例えば発泡部材１９上で固化した内容物を除去すること等が可能になり、適正な泡質の泡体を長期にわたって吐出することができる。
【００５３】
また発泡部材１９が、装着筒部４６の下端部に配設されているので、装着筒部４６をステム１５の上端部から取り外したときに、発泡部材１９を押下ヘッド１８から外部に露出させることが可能になり、発泡部材１９を一層容易に洗浄することができる。
さらに発泡部材１９が、連通路４４内に着脱自在に配設されているので、発泡部材１９を、押下ヘッド１８から離脱させた状態で洗浄することが可能になり、発泡部材１９を確実に洗浄することができる。
【００５４】
なお、本発明の技術的範囲は前記実施形態に限定されるものではなく、本発明の趣旨を逸脱しない範囲において種々の変更を加えることが可能である。
【００５５】
例えば、規制部材２４およびリング状部５２がなくてもよい。
【００５６】
前記実施形態では、装着筒部４６がヘッド本体４５と別体に形成されているが、本発明はこれに限られない。例えば、装着筒部がヘッド本体に一体に形成されていてもよい。
前記実施形態では、装着筒部４６がステム１５に螺着されているが、本発明はこれに限られない。例えば、装着筒部が、ステムに嵌合されていてもよい。
【００５７】
前記実施形態では、発泡部材１９は、連通路４４内に着脱自在に配設されているが、本発明はこれに限られない。例えば、発泡部材が、連通路内に離脱不能に装着されていてもよい。
前記実施形態では、発泡部材１９は、装着筒部４６の下端部に配設されているが、本発明はこれに限られない。例えば、発泡部材が流路筒部内に配設されていてもよい。
【００５８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５９】
２  容器体
２ａ  口部
１０  フォーマポンプ
１２  空気用シリンダ
１３  液用シリンダ
１４  液用ピストン
１５  ステム
１６  空気用ピストン
１７  気液混合室
１８  押下ヘッド
１９  発泡部材
４３  ノズル孔
４４  連通路
４６  装着筒部
【図１】
2015009840.tif 000003
【図２】
2015009840.tif 000004
【図３】
2015009840.tif 000005